(57)【要約】【課題】  音声信号を音として明瞭に再生でき、さらに外部から目視できる振動板や筺体に対して、設置場所の個々の環境に合わせ自由に装飾を施すことを可能にした音響装置を得る。【解決手段】  上部を開口する筺体１の開口部側内周に、内周方向に突出する支持段部２を周方向に設け、この支持段部２に、音の電気信号を機械的な振動に変換する振動・音源発生装置３を取り付けた振動板４を、緩衝部材５を介在させ且つ上下方向に移動自在に支持させ、前記振動板４には筺体内外を連通する通気穴６を設けた。【選択図】  図２
2013121052.tif 000002
【特許請求の範囲】
【請求項１】
上部を開口する筺体の開口部側内周に、内周方向に突出する支持段部を周方向に設け、この支持段部に、音の電気信号を機械的な振動に変換する振動・音源発生装置を取り付けた振動板を、緩衝部材を介在させ且つ上下方向に移動自在に支持させ、前記振動板には筺体内外を連通する通気穴を設けたことを特徴とする音響装置。
【発明の詳細な説明】
【技術分野】
【０００１】
本発明は、外装に装飾が可能な音響装置に関する。
【背景技術】
【０００２】
従来音響装置として使用されているスピーカーは、一般的に、ドーナツ状の永久磁石の内部空間にボイスコイルが挿入され、ボイスコイルの導線に音声信号が流れると音声信号の波形に合わせてボイスコイルが振動し、ボイスコイルに直結したコーン紙などで形成される振動板がボイスコイルと一緒に振動することで音声信号と等しい波形の音を空気中に放出するといった基本構造を有し、前記の各パーツはフレームに固定されてスピーカーユニットとされ、このスピーカーユニットがエンクロージャーと呼ばれる筺体に取り付けられて完成している。
【０００３】
スピーカーユニットを取り付ける筺体は、スピーカーユニットの振動板の振動を受けるが、筺体が振動板の振動を受けて振動した場合、筺体の振動が振動板の振動に干渉してスピーカーユニット自体から発生する音声信号を明瞭に再現できなくなる。このため、筺体は、できるだけ振動板の振動の影響を受けないように補強材や隔壁等で強化され、また重い材料が使用されている（例えば、特許文献１参照。）。
【０００４】
各種イベントや舞台等で音楽等を流すため、多数のスピーカーが配置されているが、スピーカーの存在が、各種イベントや舞台等の全体環境に合わない、むしろ雰囲気や全体の装飾の邪魔になるような存在となっている場合があることを経験する。
しかし、特に目につくスピーカーユニットの振動板や筺体に、例えば塗装したり形状に変化を与える等の装飾を施すことは、音声信号の再現の大きな妨げとなり、到底実施できるものではない。そのため、音声の通りの障害とならない範囲で、できるだけ目立たない場所に配置するといったことが行われている。
【先行技術文献】
【特許文献】
【０００５】
【特許文献１】再表２００７／０６９６１４号公報
【発明の概要】
【発明が解決しようとする課題】
【０００６】
上記のように、従来のスピーカーにあっては、塗装したり形状に変化を与える等の装飾を施すことは到底実施できないとされ、できるだけ目立たない場所に配置するといった配慮がなされることがあるが、スピーカーの存在を視界から取り除くことはできない。
しかし、特に、演劇や舞踊等の舞台やファッション関係の展示会等では、全体の環境を非常に重要視するところであり、全体環境に合わない、むしろ雰囲気や全体の装飾の邪魔になるようなスピーカーは、できうる限りその存在を視界から取り除くことが望まれる。
【０００７】
このような事情に鑑み、発明者は、各種イベントや舞台等で個々の環境に合わせ、見た目がスピーカーと看取られないような装飾を施すことが可能な音響装置ができないものか、研究を続けた結果、音の電気信号を機械的な振動に変換する振動装置、例えば特開２０００−１３４６９３号公報で開示されている「電気−機械振動変換器」に着目し、本発明を完成するに至った。
【０００８】
本発明の目的は、音声信号を音として明瞭に再生でき、さらに外部から目視できる振動板や筺体に対して、設置場所の個々の環境に合わせ自由に装飾を施すことを可能にした音響装置を提供することにある。
【課題を解決するための手段】
【０００９】
上記の目的を達成するために、請求項１に記載の発明は、上部を開口する筺体の開口部側内周に、内周方向に突出する支持段部を周方向に設け、この支持段部に、音の電気信号を機械的な振動に変換する振動・音源発生装置を取り付けた振動板を、緩衝部材を介在させ且つ上下方向に移動自在に支持させ、前記振動板には筺体内外を連通する通気穴を設けたことを特徴とする。
【発明の効果】
【００１０】
請求項１に記載の音響装置によれば、振動板に取り付けた振動・音源装置に音声電流を流すと、音声信号の波形に合わせて振動・音源発生装置が振動して振動板を振動させ、そして、振動板は、筺体の開口部側内周に設けた支持段部に緩衝部材を介在させ且つ上下方向に移動自在に支持されているので、筺体に干渉されることなく振動・音源発生装置の振動に共鳴することができ、音声信号を音として明瞭に再生することができる。
また、振動板は筺体の開口部側内周に設けた支持段部に上下方向に移動自在に支持されているので、振動・音源発生装置の振動に応じて振動板が大きく上下動することができることから、筺体内の空気の移動量も大きくなり振動が増幅され大きな音声を出すことができ、また、振動板に設けられた通気穴により、筺体の内容積とバスレス効果によって低音が増強され、小音量での低音域の再生が容易となる。
さらに、振動板は、振動・音源発生装置の振動により共鳴できるものであればよく、共鳴の阻害とならない範囲で、設置場所の個々の環境に合わせ自由に装飾を施すことができ、また、筺体にあっても、振動板とは相互に干渉し合わないので、設置場所の個々の環境に合わせ自由に装飾を施すことができ、音響装置と認識されないような外観を構築することができる。
【図面の簡単な説明】
【００１１】
【図１】本発明に係る音響装置の実施の形態の一例を示す斜視図である。
【図２】本例の拡大縦断面図である。
【図３】筺体の開口部側内周に設けた支持段部と、支持段部に緩衝部材を介在させ支持段部に支持させた振動板の他例を示す一部省略拡大断面図である。
【発明を実施するための形態】
【００１２】
以下、本発明に係る音響装置を実施するための形態を説明する。
図１、図２は本発明に係る音響装置の実施の形態の一例を示すもので、図１は本例の斜視図、図２は本例の拡大縦断面図、図３は筺体の開口部側内周に設けた支持段部と、支持段部に緩衝部材を介在させ支持段部に支持させた振動板の他例を示す一部省略拡大断面図である。
【００１３】
本例の音響装置は、上部を開口する筺体１の開口部側内周に、内周方向に突出する支持段部２を周方向に設け、この支持段部２に、音の電気信号を機械的な振動に変換する振動・音源発生装置３を取り付けた振動板４を、緩衝部材５を介在させ且つ上下方向に移動自在に支持させ、振動板４には筺体１の内外を連通する通気穴６を設けた。
【００１４】
さらに詳細には、前記上部を開口する筺体１は筒状に形成され、下側開口部が底板７で塞がれている。この筺体１にあっては、緩衝部材５の介在により振動板４の振動が緩衝され、振動板４の反作用による振動（共振）の発生が緩和されるので、特に振動板４の反作用による振動を抑える強度を得るための構造や材質について考慮する必要はなく、筺体１としての強度を得られれば、その構造、材質は特に限定されない。本例では合板が使用されている。
本例では、振動板４の振動から発生する筺体１内部の反射音を一層効果的に防止するために、筺体１内にドーナツ状の中板８が設けられている。また、本例では、筺体１の内面及び中板８に、付帯音を吸収除去する吸音材９が設けられ、吸音材９としてフェルトが使用されている。
筒状に形成された筺体１の形状は、本例では真円筒形となっているが、楕円筒形、角筒形であってもよい。
【００１５】
前記筺体１の開口部側の内周に設けられた支持段部２は、本例では鍔状となっているが、これに限られるものではなく、図３に示すように、筺体１の開口部側の内周面を、例えば周方向に所定寸法切除して内径を大径とすることにより、筺体１の開口部側の内周に段部を形成し、この段部を支持段部２としてもよい。
【００１６】
支持段部２と振動板４との間に介在させる緩衝部材５にあっては、本例ではリング状のゴムが使用されているが、これに限られるものではなく、弾性ある合成樹脂であってもよく、また、金属製のバネであってもよい。
【００１７】
前記支持段部２に支持される振動板４にあては、筺体１の内形と略同一の外形に形成され、筺体１の開口部から筺体１内に上下動自在に遊嵌合されて、緩衝部材５を介在して支持段部２に支持されている。緩衝部材５を介在しての支持段部２による振動板４の支持にあっては、本例では、支持段部２の上面にリング状の緩衝部材５を載置し、この緩衝部材５の上に振動板４を載置して支持しているが、これに限られるものではなく、図３に示すように、振動板４の外周囲に、ゴム製のリング状の緩衝部材５を略半径部分を嵌合する環状嵌合溝１０を形成し、この環状嵌合溝１０に緩衝部材５を嵌合して、環状嵌合溝１０から突出している緩衝部材５の略半径部分を支持段部２の上面に係止して、支持するようにしてもよい。
振動板４の材質にあっては、振動装置３の振動により共鳴できるものできれば特に限定されない。本例では、筺体１と同じ合板が使用されている。
【００１８】
この振動板４に取り付けた、音の電気信号を機械的な振動に変換する振動・音源発生装置３にあっては、ケースに内装されている磁極を備えたヨークに環状の空隙を形成し、この空隙内にコイル枠に巻き付けたコイルを配置させ、音の電気信号に伴い、コイルに発生する磁力と磁極に発生する磁力との間に生じる磁気干渉作用によって、ケースとヨークとが相対変化することにより振動を得る構造を有する、公知の「電気−機械振動変換器」が使用される。本例では、「電気−機械振動変換器」として、株式会社アクーヴ・ラボ製のバイブロトランスデューサを使用している。
【００１９】
この振動・音源発生装置３は、振動板４の下面側で、振動板４の中心位置に取り付けられている。振動・音源発生装置３のリード線１１に設けられた端子１２は、本例では筺体１を貫通して設けられているが、振動板４に設けられた通気穴６から筺体１の外に端子１２を引き出すようにしてもよい。
振動・音源発生装置３を取り付けた振動板４には、筺体１内外を連通する通気穴６が設けられているが、この通気穴６はバスレス効果を得るためのものである。この通気穴６の大きさにあっては、大きいとバスレスの音量が上がるが、反面、大きすぎると振動板４の共鳴を阻害することになるので、バスレスの音量と振動板４の共鳴を勘案して設定される。
【００２０】
以上のように構成された音響装置によれば、振動板４に取り付けた振動・音源発生装置３に音声電流を流すと、音声信号の波形に合わせて振動・音源発生装置３が振動し振動板４を振動させる。
このとき、振動板４は、筺体１の開口部側内周に設けた支持段部２に緩衝部材５を介在して且つ上下方向に移動自在に支持されているので、筺体１に干渉されることなく振動・音源発生装置３の振動に共鳴し、音声信号を音として明瞭に再生する。
本例では、振動板４の振動による筺体１内部の反射音を一層効果的に防止するために、筺体１内にドーナツ状の中板８が設けられているので、振動板４の振動により再生される音が一層明瞭に再生される。
【００２１】
また、支持段部２に支持されている振動板４は、筺体１の開口部から筺体１内に上下動自在に遊嵌合しているので、振動・音源発生装置３の振動に応じて振動板４が大きく上下動することができることから、筺体１内の空気の移動量も大きくなり振動が増幅され大きな音声を出すことができる。また、振動板４に設けられた通気穴６により、筺体１の内容積とバスレス効果によって低音が増強され、小音量での低音域の再生が容易となる。
本例では、筺体１の内面及び中板８に、付帯音を吸収除去する吸音材９が設けられているので、良好な低音域の再生が得られる。
【００２２】
また、振動板４は、振動・音源発生装置３の振動により共鳴できるものできればよいので、共鳴の阻害とならない範囲で、設置場所の個々の環境に合わせ自由に塗装や飾り付け等の装飾を施すことができる。また、筺体１にあっても、振動板４とは相互に干渉し合わないので、設置場所の個々の環境に合わせ自由に塗装や飾り付け等の装飾を施すことができる
【符号の説明】
【００２３】
１  筺体
２  支持段部
３  振動・音源発生装置
４  振動板
５  緩衝部材
６  通気穴
７  底板
８  中板
９  吸音材
１０  環状嵌合溝
１１  リード線  
１２  端子
【図１】
2013121052.tif 000003
【図２】
2013121052.tif 000004
【図３】
2013121052.tif 000005